(57)【特許請求の範囲】
【請求項１】
底部を囲むように配設された長側壁と短側壁が、底部に重なるように折り畳むことができる折り畳みコンテナーにおいて、長側壁に形成された下部水平枠の両端部付近を、ほぼ垂直に下方に延在することにより形成された垂直壁の下端に、水平枠が連接されており、底部に対して、長側壁を垂直に立てた際には、長側壁の下部水平枠の両端部付近に形成された前記水平枠が、底部の二重壁部を構成する水平壁に載置されて、長側壁に形成された前記水平枠と底部に形成された前記水平壁とにより、面接触部が形成されるように構成されており、更に、折り畳みコンテナーが組み立てられた際には、長側壁の上端より、短側壁の上端が、低くなるように構成されていることを特徴とする折り畳みコンテナー。
【発明の詳細な説明】
【０００１】
【発明の属する技術分野】
本発明は、底部を囲むように配設された側壁が、底部に重なるように折り畳むことができる折り畳みコンテナーに関するものである。
【０００２】
【従来の技術】
従来，長方形の底部の相対する長辺部に、適当なヒンジ部を介して連結された長側壁と、同じく上記底部の相対する短辺部に、適当なヒンジ部を介して連結された短側壁とからなる折り畳みコンテナーが知られており、折り畳み状態においては、底部の上に短側壁が重なるように折り畳まれ、更にその上に、長側壁が折り畳まれており、そして、折り畳まれた状態の長側壁を、底部に対して垂直に立て、次いで、折り畳まれた状態の短側壁を、底部に対して垂直に立てることにより、箱型の折り畳みコンテナーに組み立てるように構成されている。
【０００３】
以下に、図７及び図８を用いて、上述した従来の折り畳みコンテナーについて説明する。なお、折り畳みコンテナーの組み立て等の説明には、本発明の折り畳みコンテナーの斜視図である図４〜図６を用いる。
【０００４】
上述した折り畳みコンテナーは、平面形状が長方形状の底部１を有しており．底部１の相対する長辺部１ａには、後述するヒンジ部を介して長側壁２が連結されており、また、底部１の相対する短辺部１ｂには、同じく適当なヒンジ部を介して短側壁３が連結されている。
【０００５】
図４に示されているように、箱型に組み立てられた状態の折り畳みコンテナーを折り畳むには、先ず最初に、短側壁３を折り畳みコンテナーの内側に倒して、図５に示されているように、底部１の上に重ねる。次いで、同じく、長側壁２を折り畳みコンテナーの内側に倒して、図６に示されているように、底部１及び短側壁３の上に重ねる。逆に、図６に示されている折り畳まれた状態から、図４に示されているように組み立てるには、底部１及び短側壁３の上に重ねられた状態の長側壁２を垂直に立て、次いで、短側壁３を垂直に立てて、折り畳みコンテナーを箱型に組み立てる。
【０００６】
なお、組み立てられた状態の折り畳みコンテナーの短側壁３が、内側に、簡単に倒れないように、長側壁２と短側壁３の左右両端部を係合する係合部２ａ、３ａが、長側壁２と短側壁３の左右両端部に形成されているが、このような係合部２ａ、３ａは、本願出願前、既に、周知（例えば、特開平６−１３４２号、特開平８−３１８９３９号等を参照のこと。）であるので、その詳細な説明は省略する。
【０００７】
次に、図７を用いて、底部１と長側壁２とのヒンジ結合について説明する。
【０００８】
底部１は、下面に交差リブ１ｃ’が垂設された底板１ｃと、底板１ｃの長辺に沿って形成された、上述した長辺部１ａを構成する、ほぼ逆Ｕ字状の二重壁部１ｄと、底板１ｃの短辺に沿って形成された、二重壁部１ｄより高さの低い、上述した短辺部１ｂとを有しており、二重壁部１ｄの水平壁１ｄ１の上面には周壁１ｅが形成されている。
【０００９】
二重壁部１ｄの水平壁１ｄ１の上面には、逆Ｊ字状のヒンジ雌部Ｈ１が、二重壁部１ｄの長手方向に、所定の間隔を置いて形成されている。ヒンジ雌部Ｈ１は、二重壁部１ｄを構成する内壁１ｄ２に沿って上方に延在する条片部ｈ１と、条片部ｈ１に連接されているとともに、周壁１ｅ方向に延在する半円筒状のフック部ｈ２とから構成されており、ヒンジ雌部Ｈ１は、周壁１ｅの上端より下方に位置している。このヒンジ雌部Ｈ１は、底部１を合成樹脂で一体成形すること等により、適度な弾性を有している。
【００１０】
長側壁２は、横長の方形状の板状部２ｂと、板状部２ｂの下端から外方向に向かって延在する下部水平枠２ｃを有しており、下部水平枠２ｃの下面には、底部１に形成されたヒンジ雌部Ｈ１に対応して、ヒンジ雄部Ｈ２が形成されている。ヒンジ雄部Ｈ２は、下部水平枠２ｃの下面に垂下され、板状部２ｂに対して直角な一対の垂直片ｈ３と、一対の垂直片ｈ３間に配設された水平ピンｈ４とから構成されており、垂直片ｈ３の下部は、半円形部ｈ３’として形成されている。また、隣り合うヒンジ雄部Ｈ２の相対する垂直片ｈ３は、板状部２ｂの下方への延長として形成されている垂直部２ｄ’と、垂直部２ｄ’に連接された半円筒部２ｄ”とからなる連結壁２ｄで連結されている。そして、連結壁２ｄの下端は、ヒンジ雄部Ｈ２の垂直片ｈ３の下端と一致しており、連結壁２ｄの半円筒部２ｄ”と、垂直片ｈ３の下部の半円形部ｈ３’とは、ほぼ同じ半径を有している。なお、２ｂ’は、必要に応じて、板状部２ｂの外面に形成された補強用の縦リブである。
【００１１】
底部１の周壁１ｅと、底部１に形成されたヒンジ雌部Ｈ１のフック部ｈ２との間には、長側壁２に形成されたヒンジ雄部Ｈ２の水平ピンｈ４の直径より、狭い間隔の間隙が形成されている。
【００１２】
長側壁２に形成されたヒンジ雄部Ｈ２の水平ピンｈ４を、底部１の周壁１ｅと、ヒンジ雌部Ｈ１のフック部ｈ２との間に形成された間隙に、無理やり挿入すると、ヒンジ雌部Ｈ１の条片部ｈ１は、内側に傾動し、従って、底部１の周壁１ｅとヒンジ雌部Ｈ１のフック部ｈ２との間には、ヒンジ雄部Ｈ２の水平ピンｈ４が通過する間隙ができ、水平ピンｈ４は、ヒンジ雌部Ｈ１のフック部ｈ２の下方まで押し下げられる。すると、ヒンジ雌部Ｈ１の条片部ｈ１は、条片部ｈ１自体の弾性力により、元に位置に復帰するとともに、ヒンジ雄部Ｈ２の水平ピンｈ４が、ヒンジ雌部Ｈ１のフック部ｈ２の凹部ｈ２’に嵌合されて、底部１に形成されたヒンジ雌部Ｈ１と、長側壁２に形成されたヒンジ雄部Ｈ２とにより、底部１と長側壁２とがヒンジ結合されることになる。ヒンジ雌部Ｈ１とヒンジ雄部Ｈ２とによるヒンジ結合により、底部１と短側壁３も、同様に、連結されるように構成されている。
【００１３】
【発明が解決しようとする課題】
上述した従来の折り畳みコンテナーにおいては、折り畳まれた状態の長側壁２を、底部１に対して垂直に立て、次いで、折り畳まれた状態の短側壁３を、底部１に対して垂直に立てることにより、箱型の折り畳みコンテナーに組み立てられるが、このようにして組み立てられた状態においては、底部１の二重壁部１ｄの水平壁１ｄ１には、長側壁２に形成された連結壁２ｄの半円筒部２ｄ”及びヒンジ雄部Ｈ２の垂直片ｈ３の半円形部ｈ３’が載置されることになり、従って、底部１と長側壁２とは、面接触ではなく、線接触することになる。なお、長側壁２に形成された下部水平部２ｃの下面と、底部１に形成された周壁１ｅの上端とは、折り畳みコンテナーを組み立てた際には、互いに、接触、或いは、接近するように構成されている。
【００１４】
上述したように、折り畳みコンテナーが組み立てられた状態においては、底部１の二重壁部１ｂの水平壁１ｄ１には、連結壁２ｄの半円筒部２ｄ”が載置され、また、ヒンジ雄部Ｈ２の垂直片ｈ３の半円形部ｈ３’が載置されることになり、従って、底部１の二重壁部１ｅの水平壁１ｄ１と、長側壁２に形成された連結壁２ｄ及びヒンジ雄部Ｈ２の垂直片ｈ３とは、面接触ではなく、線接触となる。このように、底部１の二重壁部１ｅの水平壁１ｄ１と、長側壁２に形成された連結壁２ｄ及びヒンジ雄部Ｈ２の垂直片ｈ３とが線接触であるために、物品が収容された折り畳みコンテナーを、多数、積み重ねた場合等のように、長側壁２に負荷がかかった場合には、長側壁２が、長側壁２の板状部２ｂに対して、直角方向に移動し易く、長側壁２の下部水平部２ｃと底部１の周壁１ｅとの接触が、簡単に、外れるとともに、長側壁２にかかった負荷が、ヒンジ雌部Ｈ１とヒンジ雄部Ｈ２とからなるヒンジ結合部にかかり、ヒンジ雌部Ｈ１やヒンジ雄部Ｈ２が損傷するという問題があった。
【００１５】
本発明の目的は、上述した従来の折り畳みコンテナーが有する課題を解決することにある。
【００１６】
【課題を解決するための手段】
本発明は、上述した目的を達成するために、底部を囲むように配設された長側壁と短側壁が、底部に重なるように折り畳むことができる折り畳みコンテナーにおいて、長側壁に形成された下部水平枠の両端部付近を、ほぼ垂直に下方に延在することにより形成された垂直壁の下端に、水平枠が連接されており、底部に対して、長側壁を垂直に立てた際には、長側壁の下部水平枠の両端部付近に形成された前記水平枠が、底部の二重壁部を構成する水平壁に載置されて、長側壁に形成された前記水平枠と底部に形成された前記水平壁とにより、面接触部が形成されるように構成されており、更に、折り畳みコンテナーが組み立てられた際には、長側壁の上端より、短側壁の上端が、低くなるように構成したものである。
【００１７】
【実施例】
以下に、本発明の実施例について説明するが、本発明の趣旨を越えない限り何ら、本実施例に限定されるものでない。なお、ヒンジ雌部Ｈ１やヒンジ雄部Ｈ２等を含め、上述した従来の折り畳みコンテナーの構成部分と同じ部分については、同じ符号を用いるとともに、その詳細な説明は省略する。
【００１８】
本発明は、上述した従来の折り畳みコンテナーの組立時における、底部１の二重壁部１ｅの水平壁１ｄ１と、長側壁２に形成された連結壁２ｄ及びヒンジ雄部Ｈ２の垂直片ｈ３との線接触に、部分的に、面接触する構成を付加することにより、この面接触部分で、長側壁２に加わる大部分の負荷を負担しようとするものである。
【００１９】
本実施例においては、長側壁２に形成された下部水平枠２ｃの両端部付近を、ほぼ垂直に下方に延在して、垂直壁２ｅを形成し、更に、垂直壁２ｅの下端に、板状部２ｂ方向に延在する水平枠２ｆを連接する。そして、折り畳みコンテナーを組み立てて、底部１に対して、長側壁２を垂直に立てた際には、長側壁２に配設された下部水平枠２ｃの両端部付近に形成された水平枠２ｆが、底部１の二重壁部１ｅの水平壁１ｄ１に載置されるように構成されている。このように、長側壁２の下部角部付近に、垂直壁２ｅと水平枠２ｆとからなる面接触部Ｓを形成することにより、長側壁２に加わる負荷を、この面接触部Ｓにより負担して、ヒンジ雌部Ｈ１とヒンジ雄部Ｈ２とからなるヒンジ結合部にかかる負荷を低減して、ヒンジ雌部Ｈ１やヒンジ雄部Ｈ２の損傷を防止するようにしたものである。
【００２０】
折り畳みコンテナーを組み立てて、底部１に対して、長側壁２を垂直に立てた際に、底部１の二重壁部１ｅの水平壁１ｄ１、即ち、底部１の上面と面接触する、長側壁２に形成された面接触部Ｓは、上述したように、長側壁２の下部角部付近に形成された実施例に限定されることなく、長側壁２の下部両端部付近に形成することもできるし、下部角部付近に形成された面接触部Ｓに加え、長側壁２の中央部に形成することも、また、下部角部付近に形成された面接触部Ｓ間に、複数個、形成することもできる。特に、面接触部Ｓを、底部１のコーナー部に形成することが、強度的に見ても望ましい。
【００２１】
また、本実施例においては、図３に示されているように、折り畳みコンテナーが組み立てられた状態において、長側壁２の上端２’より、短側壁３の上端３’が、若干、低くなるように構成されている。このように構成することにより、物品が収容された折り畳みコンテナーを、多数、積み重ねた場合等のように、折り畳みコンテナーに上方から負荷がかかった場合には、底部１と面接触部Ｓにより面接触し、負荷に強い長側壁２に、大部分の負荷がかかるので、このような面接触部Ｓが形成されておらず、負荷に対して弱い短側壁３に負荷がかからないので、底部１と短側壁３とをヒンジ結合しているヒンジ雌部Ｈ１とヒンジ雄部Ｈ２とからなるヒンジ結合部にかかる負荷が低減し、従って、底部１と短側壁３とをヒンジ結合しているヒンジ雌部Ｈ１とヒンジ雄部Ｈ２が損傷するようなことがない。
【００２２】
【発明の効果】
本発明は、以上説明した構成を有しているので、以下に記載する効果を奏するものである。
【００２３】
折り畳みコンテナーを組み立てて、底部に対して、長側壁を垂直に立てた際に、長側壁と底部との接触部の一部に、面接触部が形成されているので、長側壁の負荷に対する抵抗が増し、従って、ヒンジ雌部やヒンジ雄部が損傷するようなことが防止できる。
【００２４】
折り畳みコンテナーが組み立てられた際に、長側壁の上端より、短側壁の上端が、低くなるように構成されているので、面接触部が形成されておらず、負荷に対して弱い短側壁に負荷がかかるようなことがなく、従って、底部と短側壁とをヒンジ結合しているヒンジ雌部とヒンジ雄部が損傷するようなことが防止できる。
【図面の簡単な説明】
【図１】図１は本発明の折り畳みコンテナーの底部及び長側壁の部分分解斜視図である。
【図２】図２は本発明の折り畳みコンテナーの底部及び長側壁の端部付近の垂直断面図である。
【図３】図３は本発明の折り畳みコンテナーの短側壁に沿った垂直断面図である。
【図４】図４は折り畳みコンテナーの組み立てられた状態の斜視図である。
【図５】図５は折り畳みコンテナーの組み立て途中の状態の斜視図である。
【図６】図６は折り畳みコンテナーの折り畳まれた状態の斜視図である。
【図７】図７は従来の折り畳みコンテナーのヒンジ結合を説明するための底部及び長側壁の部分分解斜視図である。
【図８】図８は従来の折り畳みコンテナーの底部及び長側壁の垂直断面図である。
【符号の説明】
Ｈ１・・・・・・・ヒンジ雌部
Ｈ２・・・・・・・ヒンジ雄部
Ｓ・・・・・・・・面接触部
１・・・・・・・・底部
２・・・・・・・・長側壁
３・・・・・・・・短側壁
【図１】
0004124929.tif 000002
【図２】
0004124929.tif 000003
【図３】
0004124929.tif 000004
【図４】
0004124929.tif 000005
【図５】
0004124929.tif 000006
【図６】
0004124929.tif 000007
【図７】
0004124929.tif 000008
【図８】
0004124929.tif 000009